(57)【要約】【目的】重複検査を防止する。【構成】無線LANエリア５内に複数の検査箇所Ｐ１〜Ｐ７がある。一の検査員１がある箇所を検査すると，その検査結果データが無線LANルータ６に送信される。無線LANルータ６には複数の検査箇所Ｐ１〜Ｐ７の検査状況を示す検査状況データが記憶されている。検査結果データにもとづいて検査状況データが更新されて，一の検査員１ならびに他の検査員２および３の携帯電話１Ａならびに２Ａおよび３Ａに送信される。検査状況データを検査員１，２および３の間で共有できるので，重複検査を未然に防止できる。【選択図】図１
2012209845.tif 000002
【特許請求の範囲】
【請求項１】
管理サーバおよび上記管理サーバと通信可能な無線通信アクセス・ポイント装置を含む検査システムにおいて，
上記無線通信アクセス・ポイント装置による無線通信が可能な無線通信エリアに複数の検査箇所が含まれており，
上記無線通信アクセス・ポイント装置が，
無線通信エリアにある上記無線通信アクセス・ポイント装置と通信可能な一の携帯端末から送信される検査箇所における検査結果を表す検査結果データを受信し，受信した検査結果データを上記管理サーバに送信する検査結果データ転送手段を備え，
上記管理サーバが，
上記無線通信アクセス・ポイント装置の上記検査結果データ転送手段から送信された一の携帯端末の検査結果データを受信する検査結果データ受信手段，
上記検査結果データ受信手段によって受信した検査結果データにもとづいて，上記複数の検査箇所の検査状況を格納する検査状況データベースを更新するデータベース更新手段，および
上記データベース更新手段によって更新された上記複数の検査箇所の検査状況を表す検査状況データを上記無線通信アクセス・ポイント装置に送信する第１の検査状況データ送信手段を備え，
上記無線通信アクセス・ポイント装置が，
上記管理サーバの上記第１の検査状況データ送信手段から送信された検査状況データを受信し，受信した検査状況データを無線通信エリアにある一の携帯端末および他の携帯端末に送信する検査状況データ転送手段，
をさらに備えた検査システム。
【請求項２】
上記無線通信アクセス・ポイント装置が，
上記無線通信エリア内にある一の携帯端末または他の携帯端末から送信される，検査情報要求データを受信し，受信した検査情報要求データを，上記管理サーバに送信する検査情報要求データ転送手段をさらに備え，
上記管理サーバが，
上記無線通信アクセス・ポイント装置の上記検査情報要求データ転送手段から送信された検査情報要求データを受信する検査情報要求データ受信手段，および
上記検査情報要求データ受信手段において検査情報要求データを受信したことに応じて，検査内容，検査箇所および上記検査状況を表す検査情報データを上記無線通信アクセス・ポイント装置に送信する検査情報データ送信手段をさらに備え，
上記無線通信アクセス・ポイント装置が，
上記管理サーバの上記検査情報データ送信手段から送信された検査情報データを受信し，受信した検査情報データを，検査情報要求データを送信した一の携帯端末に送信する検査情報データ転送手段，
をさらに備えた請求項１に記載の検査システム。
【請求項３】
上記無線通信アクセス・ポイント装置が，
一の携帯端末および他の携帯端末から送信される，検査予定箇所を示す検査予定箇所データを受信して上記管理サーバに送信する検査予定箇所データ転送手段をさらに備え，
上記管理サーバが，
上記無線通信アクセス・ポイント装置の上記検査予定箇所データ転送手段から送信された検査予定箇所データに，検査予定箇所データを送信する対象を特定する第１の送信対象携帯端末識別データを付与する第１の識別データ付与手段，および
上記識別データ付与手段によって第１の携帯端末識別データが付与された検査予定箇所データを上記無線通信アクセス・ポイント装置に送信するサーバ検査予定箇所データ送信手段をさらに備え，
上記無線通信アクセス・ポイント装置が，
上記管理サーバの上記サーバ検査予定箇所データ送信手段から送信された検査予定箇所データを，その検査予定箇所データに付与されている第１の携帯端末識別データによって特定される携帯端末に送信するルータ検査予定箇所データ送信手段，
をさらに備えた請求項１または２に記載の検査システム。
【請求項４】
上記無線通信アクセス・ポイント装置が，
一の携帯端末および他の携帯端末から送信される，文章を示す文章データを受信して上記管理サーバに送信する文章データ転送手段をさらに備え，
上記管理サーバが，
上記無線通信アクセス・ポイント装置の上記文章データ転送手段から送信された文章データに，文章データを送信する対象を特定する第２の送信対象携帯端末識別データを付与する第２の識別データ付与手段，および
上記第２の識別データ付与手段によって携帯端末識別データが付与された文章データを上記無線通信アクセス・ポイント装置に送信する文章データ送信手段をさらに備え，
上記無線通信アクセス・ポイント装置が，
上記管理サーバの上記文章データ送信手段から送信された文章データを，その文章データに付与されている第２の携帯端末識別データによって特定される携帯端末に送信する文章データ送信手段，
をさらに備えた請求項１から３のうち，いずれか一項に記載の検査システム。
【請求項５】
検査システムは統括サーバをさらに備え，
上記管理サーバは，
上記データベース更新手段によって更新された上記複数の検査箇所の検査状況を表す検査状況データを上記統括サーバに送信する第２の検査状況データ送信手段を備え，
上記統括サーバは，
上記管理サーバの上記第２の検査状況データ送信手段から送信された検査状況データにもとづいて決定される，次に検査すべき検査箇所を指示する指示データを上記管理サーバに送信する統括サーバ指示データ送信手段をさらに備え，
上記管理サーバは，
上記統括サーバ上記指示データ送信手段から送信される指示データを受信し，受信した指示データを上記無線通信アクセス・ポイント装置に送信する管理サーバ指示データ送信手段をさらに備え，
上記無線通信アクセス・ポイント装置は，
上記管理サーバ指示データ送信手段から送信される指示データを受信し，受信した指示データを一の携帯端末または他の携帯端末に送信する無線通信アクセス・ポイント装置指示データ送信手段，
をさらに備えた請求項４に記載の検査システム。
【請求項６】
複数の検査箇所が含まれている無線通信エリアにおいて無線通信が可能な無線通信アクセス・ポイント装置であって，
無線通信エリアにある上記無線通信アクセス・ポイント装置と通信可能な一の携帯端末から送信される検査箇所における検査結果を表す検査結果データを受信する検査結果データ受信手段，
上記検査結果データ受信手段によって受信した検査結果データにもとづいて，上記複数の検査箇所の検査状況を格納する検査状況データベースを更新するデータベース更新手段，および
上記データベース更新手段によって更新された上記複数の検査箇所の検査状況を表す検査状況データを，無線通信エリアにある一の携帯端末および他の携帯端末に送信する検査状況データ送信手段，
備えた無線通信アクセス・ポイント装置。
【請求項７】
上記無線通信エリア内にある一の携帯端末または他の携帯端末から送信される，検査情報要求データを受信する検査情報要求データ受信手段，および
上記検査情報要求データ受信手段において検査情報要求データを受信したことに応じて，検査内容，検査箇所および上記検査状況を表す検査情報データを，検査情報要求データを送信した一の携帯端末または他の携帯端末に送信する検査情報データ送信手段，
をさらに備えた請求項６に記載の無線通信アクセス・ポイント装置。
【請求項８】
一の携帯端末または他の携帯端末から送信される，検査予定箇所を示す検査予定箇所データを受信する検査予定箇所データ受信手段，および
上記検査予定所データ受信手段によって受信した検査予定箇所データを，一の携帯端末および他の携帯端末に送信する検査予定箇所データ送信手段，
をさらに備えた請求項６または７に記載の無線通信アクセス・ポイント装置。
【請求項９】
一の携帯端末または他の携帯端末から送信される，文章を示す文章データを受信する文章データ受信手段，ならびに
上記文章データ受信手段によって受信した文章データを，一の携帯端末および他の携帯に送信する文章データ送信手段，
をさらに備えた請求項６から８のうち，いずれか一項に記載の無線通信アクセス・ポイント装置。
【請求項１０】
管理サーバおよび上記管理サーバと通信可能な無線通信アクセス・ポイント装置を含む検査システムを構成する管理サーバの動作制御方法であり，
上記無線通信アクセス・ポイント装置による無線通信が可能な無線通信エリアに複数の検査箇所が含まれており，
検査結果データ受信手段が，無線通信エリアにある上記無線通信アクセス・ポイント装置と通信可能な一の携帯端末から送信される検査箇所における検査結果を表す検査結果データを，上記無線通信アクセス・ポイント装置を介して受信し，
データベース更新手段が，上記検査結果データ受信手段によって受信した検査結果データにもとづいて，上記複数の検査箇所の検査状況を格納する検査状況データベースを更新し，
上検査状況データ送信手段が，上記データベース更新手段によって更新された上記複数の検査箇所の検査状況を表す検査状況データを上記無線通信アクセス・ポイント装置に送信する，
検査サーバの動作制御方法。
【請求項１１】
複数の検査箇所が含まれている無線通信エリアにおいて無線通信が可能な無線通信アクセス・ポイント装置の動作制御方法であって，
検査結果データ受信手段が，無線通信エリアにある上記無線通信アクセス・ポイント装置と通信可能な一の携帯端末から送信される検査箇所における検査結果を表す検査結果データを受信し，
データベース更新手段が，上記検査結果データ受信手段によって受信した検査結果データにもとづいて，上記複数の検査箇所の検査状況を格納する検査状況データベースを更新し，
検査状況データ送信手段が，上記データベース更新手段によって更新された上記複数の検査箇所の検査状況を表す検査状況データを，無線通信エリアにある一の携帯端末および他の携帯端末に送信する，
無線通信アクセス・ポイント装置の動作制御方法。
【請求項１２】
管理サーバおよび上記管理サーバと通信可能な無線通信アクセス・ポイント装置を含む検査システムを構成する管理サーバを制御するコンピュータが読み取り可能なプログラムであり，
上記無線通信アクセス・ポイント装置による無線通信が可能な無線通信エリアに複数の検査箇所が含まれている，そのような無線通信エリアにある上記無線通信アクセス・ポイント装置と通信可能な一の携帯端末から送信される検査箇所における検査結果を表す検査結果データを，上記無線通信アクセス・ポイント装置を介して受信させ，
受信した検査結果データにもとづいて，上記複数の検査箇所の検査状況を格納する検査状況データベースを更新させ，
更新された上記複数の検査箇所の検査状況を表す検査状況データを上記無線通信アクセス・ポイント装置に送信させるように検査サーバを制御するプログラム。
【請求項１３】
複数の検査箇所が含まれている無線通信エリアにおいて無線通信が可能な無線通信アクセス・ポイント装置のコンピュータを制御するコンピュータが読み取り可能なプログラムであって，
無線通信エリアにある上記無線通信アクセス・ポイント装置と通信可能な一の携帯端末から送信される検査箇所における検査結果を表す検査結果データを受信させ，
受信した検査結果データにもとづいて，上記複数の検査箇所の検査状況を格納する検査状況データベースを更新させ，
更新された上記複数の検査箇所の検査状況を表す検査状況データを，無線通信エリアにある一の携帯端末および他の携帯端末に送信させるように無線通信アクセス・ポイント装置のコンピュータを制御するプログラム。
【発明の詳細な説明】
【技術分野】
【０００１】
この発明は，検査システム，検査サーバの動作制御方法およびそのプログラムに関する。
【背景技術】
【０００２】
工事現場などでは複数の検査箇所があり，その複数の検査箇所を複数の検査員で検査することが多い。そのような場合には，データを共有して効率のよい検査が必須となる。
【０００３】
データを共有するものとしては，Ｐ２Ｐの接続を確立するときに状態情報を交換するもの（特許文献１），利用者に共有していることを意識させずに共有データを利用させるもの（特許文献２），ユーザ端末機のデスクトップに３次元仮想空間を提供するもの（特許文献３）などがある。
【先行技術文献】
【特許文献】
【０００４】
【特許文献１】特表2009-520252号公報
【特許文献２】特開2007-58595号公報
【特許文献３】特開2006-185427号公報
【発明の開示】
【０００５】
複数の検査員が同時に複数の検査箇所を検査する場合，他の検査員の検査状況が分らないので，重複した検査が行われてしまうことがあり効率が悪い。予想以上に検査時間がかかったり，逆に検査時間が早く済んだり，検査員の増減があったりするなど，検査現場の状況は時々刻々と変化することが多い。このために，検査員は，他の検査員の検査結果などの検査現場の検査状況を知る必要が生じる。時々刻々と変化する検査状況をサーバに格納し，検査員がサーバにアクセスすることにより他の検査員の検査状況を知ろうとすることも考えられる。しかしながら，検査箇所によっては，サーバにアクセスできない場合があり，そのような場合には，検査員は検査状況を知ることができない。いずれにしても複数の検査箇所を複数の検査員で同時に検査する場合に効率よく検査することは考えられていない。
【０００６】
この発明は，複数の検査箇所を複数の検査員で同時に検査するときに，検査員が検査状況を知ることができるようにすることを目的とする。また，この発明は，複数の検査箇所を複数の検査員で同時に検査するときに効率良く検査することを目的とする。
【０００７】
第１の発明は，管理サーバおよび上記管理サーバと通信可能な無線通信アクセス・ポイント装置を含む検査システムについてのものである。上記無線通信アクセス・ポイント装置による無線通信が可能な無線通信エリアに複数の検査箇所が含まれている。
【０００８】
上記無線通信アクセス・ポイント装置は，無線通信エリアにある上記無線通信アクセス・ポイント装置と通信可能な一の携帯端末から送信される検査箇所における検査結果を表す検査結果データを受信し，受信した検査結果データを上記管理サーバに送信する検査結果データ転送手段を備えている。
【０００９】
上記管理サーバは，上記無線通信アクセス・ポイント装置の上記検査結果データ転送手段から送信された一の携帯端末の検査結果データを受信する検査結果データ受信手段，上記検査結果データ受信手段によって受信した検査結果データにもとづいて，上記複数の検査箇所の検査状況を格納する検査状況データベースを更新するデータベース更新手段，および上記データベース更新手段によって更新された上記複数の検査箇所の検査状況を表す検査状況データを上記無線通信アクセス・ポイント装置に送信する第１の検査状況データ送信手段を備えている。
【００１０】
上記無線通信アクセス・ポイント装置は，さらに，上記管理サーバの上記第１の検査状況データ送信手段から送信された検査状況データを受信し，受信した検査状況データを無線通信エリアにある一の携帯端末および他の携帯端末に送信する検査状況データ転送手段を備えている。
【００１１】
第１の発明は，管理サーバおよび上記管理サーバと通信可能な無線通信アクセス・ポイント装置を含む検査システムを構成する管理サーバの動作制御方法についても提供している。すなわち，この方法は，上記無線通信アクセス・ポイント装置による無線通信が可能な無線通信エリアに複数の検査箇所が含まれており，検査結果データ受信手段が，無線通信エリアにある上記無線通信アクセス・ポイント装置と通信可能な一の携帯端末から送信される検査箇所における検査結果を表す検査結果データを，上記無線通信アクセス・ポイント装置を介して受信し，データベース更新手段が，上記検査結果データ受信手段によって受信した検査結果データにもとづいて，上記複数の検査箇所の検査状況を格納する検査状況データベースを更新し，上検査状況データ送信手段が，上記データベース更新手段によって更新された上記複数の検査箇所の検査状況を表す検査状況データを上記無線通信アクセス・ポイント装置に送信するものである。
【００１２】
第１の発明は，上記検査サーバを制御するコンピュータが読み取り可能なプログラムも提供している。そのようなプログラムを格納した記録媒体も提供するようにしてもよい。
【００１３】
第１の発明によると，複数の検査箇所が含まれている無線通信エリアにおいて，一の検査員が，ある検査箇所の検査が終了すると，その検査箇所における検査結果を表わす検査結果データが一の携帯端末から無線通信アクセス・ポイント装置に送信される。検査結果データは，無線通信アクセス・ポイント装置から管理サーバに送信される。検査結果データが管理サーバにおいて受信されると，複数の検査箇所の検査状況を格納する検査状況データベースが更新させられる。更新された複数の検査箇所の検査状況を表わす検査状況データが管理サーバから無線通信アクセス・ポイント装置に送信されると，その検査状況データが無線通信アクセス・ポイント装置から一の検査員がもつ一の携帯端末および他の検査員がもつ他の携帯端末に送信される。一の検査員および他の検査員は，最新の検査状況を知ることができる。検査員は，他の検査員による検査状況を含めた最新の複数状況を必要に応じて知ることができるので，複数の検査箇所を複数の検査員で同時に検査する場合に効率よく検査できるようになる。しかも，検査員はサーバにアクセスする必要が無いので，サーバとアクセスできないような検査現場であっても，検査状況を知ることができる。
【００１４】
上記無線通信アクセス・ポイント装置は，上記無線通信エリア内にある一の携帯端末または他の携帯端末から送信される，検査情報要求データを受信し，受信した検査情報要求データを，上記管理サーバに送信する検査情報要求データ転送手段をさらに備えてもよい。この場合，上記管理サーバは，上記無線通信アクセス・ポイント装置の上記検査情報要求データ転送手段から送信された検査情報要求データを受信する検査情報要求データ受信手段，および上記検査情報要求データ受信手段において検査情報要求データを受信したことに応じて，検査内容，検査箇所および上記検査状況を表す検査情報データを上記無線通信アクセス・ポイント装置に送信する検査情報データ送信手段をさらに備えるものとなろう。また，上記無線通信アクセス・ポイント装置は，上記管理サーバの上記検査情報データ送信手段から送信された検査情報データを受信し，受信した検査情報データを，検査情報要求データを送信した一の携帯端末または他の携帯端末装置に送信する検査情報データ転送手段をさらに備えてもよい。
【００１５】
上記管理サーバは，一の携帯端末および他の携帯端末に送信する確認データを，上記無線通信アクセス・ポイント装置に送信する無線通信アクセス・ポイント装置向け確認データ送信手段をさらに備えてもよい。その場合，上記無線通信アクセス・ポイント装置は，上記管理サーバの上記無線通信アクセス・ポイント装置向け確認データ送信手段から送信された確認データを，上記一の携帯端末および上記他の携帯端末に送信する携帯端末向け確認データ送信手段，および上記携帯端末向け確認データ送信手段から送信された確認データに応答して上記一の携帯端末または上記他の携帯端末から送信される応答データを受信し，受信した応答データを上記管理サーバに送信する応答データ転送手段をさらに備える。上記管理サーバは，上記無線通信アクセス・ポイント装置の応答データ転送手段から送信される応答データを受信する応答データ受信手段，および上記応答データ受信手段において受信した応答データと以前に上記応答データ受信手段において受信した応答データとから，上記無線通信エリア外となった携帯端末を決定する決定手段をさらに備える。
【００１６】
上記無線通信アクセス・ポイント装置が，一の携帯端末および他の携帯端末から送信される，検査予定箇所を示す検査予定箇所データを受信して上記管理サーバに送信する検査予定箇所データ転送手段をさらに備えてもよい。この場合，上記管理サーバは，上記無線通信アクセス・ポイント装置の上記検査予定箇所データ転送手段から送信された検査予定箇所データに，検査予定箇所データを送信する対象を特定する第１の送信対象携帯端末識別データを付与する第１の識別データ付与手段，および上記識別データ付与手段によって第１の携帯端末識別データが付与された検査予定箇所データを上記無線通信アクセス・ポイント装置に送信するサーバ検査予定箇所データ送信手段をさらに備える。また，上記無線通信アクセス・ポイント装置は，上記管理サーバの上記サーバ検査予定箇所データ送信手段から送信された検査予定箇所データを，その検査予定箇所データに付与されている第１の携帯端末識別データによって特定される携帯端末に送信するルータ検査予定箇所データ送信手段をさらに備える。
【００１７】
上記無線通信アクセス・ポイント装置は，一の携帯端末および他の携帯端末から送信される，文章を示す文章データを受信して上記管理サーバに送信する文章データ転送手段をさらに備えてもよい。この場合，上記管理サーバは，上記無線通信アクセス・ポイント装置の上記文章データ転送手段から送信された文章データに，文章データを送信する対象を特定する第２の送信対象携帯端末識別データを付与する第２の識別データ付与手段，および上記第２の識別データ付与手段によって携帯端末識別データが付与された文章データを上記無線通信アクセス・ポイント装置に送信する文章データ送信手段をさらに備える。上記無線通信アクセス・ポイント装置は，上記管理サーバの上記文章データ送信手段から送信された文章データを，その文章データに付与されている第２の携帯端末識別データによって特定される携帯端末に送信する文章データ送信手段をさらに備える。
【００１８】
上記検査情報データのうち，検査内容および検査箇所を表すデータを上記管理サーバに送信する統括サーバをさらに備えてもよい。その場合，上記管理サーバの検査情報データ送信手段は，上記統括サーバから送信された検査内容および検査箇所を表すデータおよび上記検査状況を表すデータを検査情報データとして上記無線通信アクセス・ポイント装置に送信するものとなろう。
【００１９】
検査システムが統括サーバをさらに備えている場合には，上記管理サーバは，上記データベース更新手段によって更新された上記複数の検査箇所の検査状況を表す検査状況データを上記統括サーバに送信する第２の検査状況データ送信手段を備えてもよい。この場合，上記統括サーバは，上記管理サーバの上記第２の検査状況データ送信手段から送信された検査状況データにもとづいて決定される，次に検査すべき検査箇所を指示する指示データを上記管理サーバに送信する統括サーバ指示データ送信手段をさらに備える。また，上記管理サーバは，上記統括サーバ上記指示データ送信手段から送信される指示データを受信し，受信した指示データを上記無線通信アクセス・ポイント装置に送信する管理サーバ指示データ送信手段をさらに備える。上記無線通信アクセス・ポイント装置は，たとえば，上記管理サーバ指示データ送信手段から送信される指示データを受信し，受信した指示データを一の携帯端末または他の携帯端末に送信する無線通信アクセス・ポイント装置指示データ送信手段をさらに備えてもよい。
【００２０】
第２の発明は，複数の検査箇所が含まれている無線通信エリアにおいて無線通信が可能な無線通信アクセス・ポイント装置であって，無線通信エリアにある上記無線通信アクセス・ポイント装置と通信可能な一の携帯端末から送信される検査箇所における検査結果を表す検査結果データを受信する検査結果データ受信手段，上記検査結果データ受信手段によって受信した検査結果データにもとづいて，上記複数の検査箇所の検査状況を格納する検査状況データベースを更新するデータベース更新手段，および上記データベース更新手段によって更新された上記複数の検査箇所の検査状況を表す検査状況データを，無線通信エリアにある一の携帯端末および他の携帯端末に送信する検査状況データ送信手段備えていることを特徴とする。
【００２１】
第２の発明は，上記無線通信アクセス・ポイント装置に適した動作制御方法も提供している。すなわち，この方法は，複数の検査箇所が含まれている無線通信エリアにおいて無線通信が可能な無線通信アクセス・ポイント装置の動作制御方法であって，検査結果データ受信手段が，無線通信エリアにある上記無線通信アクセス・ポイント装置と通信可能な一の携帯端末から送信される検査箇所における検査結果を表す検査結果データを受信し，データベース更新手段が，上記検査結果データ受信手段によって受信した検査結果データにもとづいて，上記複数の検査箇所の検査状況を格納する検査状況データベースを更新し，検査状況データ送信手段が，上記データベース更新手段によって更新された上記複数の検査箇所の検査状況を表す検査状況データを，無線通信エリアにある一の携帯端末および他の携帯端末に送信するものである。
【００２２】
第２の発明は，上記無線通信アクセス・ポイント装置の動作制御方法を実施するための無線通信アクセス・ポイント装置のコンピュータを制御するプログラムも提供している。そのようなプログラムを格納した記録媒体も提供するようにしてもよい。
【００２３】
第２の発明によると，無線通信アクセス・ポイント装置は，複数の検査箇所が含まれている無線通信エリアにおいて無線通信が可能である。無線通信エリアにある一の携帯端末をもつ一の検査員が検査箇所における検査が終了すると，検査結果を表わす検査結果データが無線通信アクセス・ポイント装置に送信される。検査結果データが無線通信アクセス・ポイント装置において受信されると，その検査結果データにもとづいて，複数の検査箇所の検査状況を格納する検査状況データベースが更新される。更新された複数の検査箇所の検査状況を表わす検査状況データが無線通信エリアにある一の携帯端末および他の携帯端末に送信される。無線通信エリア内にある複数の検査箇所の検査状況を，無線通信エリア内にいる複数の検査員が共有できる。
【００２４】
上記無線通信アクセス・ポイント装置は，上記無線通信エリア内にある一の携帯端末または他の携帯端末から送信される，検査情報要求データを受信する検査情報要求データ受信手段，および上記検査情報要求データ受信手段において検査情報要求データを受信したことに応じて，検査内容，検査箇所および上記検査状況を表す検査情報データを，検査情報要求データを送信した一の携帯端末または他の携帯端末に送信する検査情報データ送信手段をさらに備えてもよい。
【００２５】
一の携帯端末および他の携帯端末に送信する確認データを，上記一の携帯端末および上記他の携帯端末に送信する携帯端末向け確認データ送信手段，上記携帯端末向け確認データ送信手段から送信された確認データに応答して上記一の携帯端末または上記他の携帯端末から送信される応答データを受信する応答データ受信手段，および上記応答データ受信手段において受信した応答データと以前に上記応答データ受信手段において受信した応答データとから，上記無線通信エリア外となった携帯端末を決定する決定手段をさらに備えるようにしてもよい。
【００２６】
一の携帯端末または他の携帯端末から送信される，検査予定箇所を示す検査予定箇所データを受信する検査予定箇所データ受信手段，および上記検査予定所データ受信手段によって受信した検査予定箇所データを，一の携帯端末および他の携帯端末に送信する検査予定箇所データ送信手段をさらに備えてもよい。
【００２７】
一の携帯端末または他の携帯端末から送信される，文章を示す文章データを受信する文章データ受信手段，ならびに上記文章データ受信手段によって受信した文章データを，一の携帯端末および他の携帯端末に送信する文章データ送信手段をさらに備えてもよい。
【図面の簡単な説明】
【００２８】
【図１】検査システムの概要を示している。
【図２】統括コンピュータの電気的構成を示すブロック図である。
【図３】管理サーバの電気的構成を示すブロック図である。
【図４】検査状況データを示している。
【図５】無線LANルータの電気的構成を示すブロック図である。
【図６】ルーティング・テーブルを示している。
【図７】携帯電話の電気的構成を示すブロック図である。
【図８】統括コンピュータの処理手順を示すフローチャートである。
【図９】管理サーバの処理手順を示すフローチャートである。
【図１０】管理サーバの処理手順を示すフローチャートである。
【図１１】管理サーバの処理手順を示すフローチャートである。
【図１２】無線LANルータの処理手順を示すフローチャートである。
【図１３】無線LANルータの処理手順を示すフローチャートである。
【図１４】無線LANルータの処理手順を示すフローチャートである。
【図１５】一の携帯電話の処理手順を示すフローチャートである。
【図１６】一の携帯電話の処理手順を示すフローチャートである。
【図１７】一の携帯電話の処理手順を示すフローチャートである。
【図１８】携帯電話の表示画面の一例である。
【図１９】検査状況データの一例である。
【図２０】検査状況データの一例である。
【図２１】携帯電話の表示画面の一例である。
【図２２】携帯電話の表示画面一例である。
【図２３】管理サーバの処理手順を示すフローチャートである。
【図２４】無線LANルータ６の処理手順を示すフローチャートである。
【図２５】無線LANルータ６の処理手順を示すフローチャートである。
【実施例】
【００２９】
この実施例では，無線LAN（ローカル・エリア・ネットワーク）エリアに複数の検査箇所が含まれ，その無線LANエリア内に無線LANルータが設けられており，その無線LANルータを利用しているが，無線LANでなく，他の無線通信であってもよいのはいうまでもない。その場合，無線LANルータではなく，無線通信するためのアクセス・ポイント（装置）があればよい。
【００３０】
図１は，この発明の実施例を示すもので，検査システムの概要を示している。
【００３１】
この実施例による検査システムは，複数の検査箇所Ｐ１〜Ｐ７（検査箇所は複数であれば７箇所でなくともよい）を，複数の検査員１〜３（検査員も複数であれば三名でなくともよい）が検査するものである。
【００３２】
検査システムには，統括コンピュータ10，管理サーバ20および無線LANルータ６が含まれている。統括コンピュータ10は，例えば，検査会社の支店に置かれ，管理サーバ20は，例えば，検査会社の本店に置かれる。無線LANルータ６は，複数の検査箇所Ｐ１〜Ｐ７との間で無線通信ができるように検査箇所Ｐ１〜Ｐ７の近くに置かれる。無線LANルータ６による無線通信が可能な範囲が無線LANエリア５である。統括コンピュータ10と管理サーバ20とは互いに通信可能であり，管理サーバ20と無線LANルータ６とも互いに通信可能である。無線LANルータ６は，無線LANエリア５内にある携帯電話１Ａ（検査員１の携帯電話），携帯電話２Ａ（検査員２の携帯電話）および携帯電話３Ａ（検査員３の携帯電話）と無線通信ができる。
【００３３】
この実施例では，複数の検査箇所Ｐ１〜Ｐ７の検査が複数の検査員１〜３によって行われた場合に，検査を終了した箇所を複数の検査員１〜３が共有できるようにするものである。複数の検査員１〜３が互いの検査の状況を知ることができるので，重複検査等を未然に防止でき，検査効率を向上できる。
【００３４】
図２は，統括コンピュータ10の電気的構成を示すブロック図である。
【００３５】
統括コンピュータ10の全体の動作は，ＣＰＵ11によって統括される。
【００３６】
統括コンピュータ10には，CD-ROM18を装填し，CD-ROM18に格納されている動作プログラムを読み取るためのCD-ROMドライブ17が含まれている。また，統括コンピュータ10には，管理サーバ20と通信するための通信装置13および表示装置12も含まれている。さらに，統括コンピュータ10には，ハードディスク（図示略）にアクセスするハードディスク・ドライブ14，所定のデータ等を一時的に記憶するメモリ15，キーボードなどの入力装置16が含まれている。
【００３７】
図３は，管理サーバ20の電気的構成を示すブロック図である。
【００３８】
管理サーバ20の電気的構成は，統括コンピュータ10の電気的構成とほぼ同じである。管理サーバ20の全体の動作は，ＣＰＵ21によって統括される。
【００３９】
管理サーバ20には， CD-ROM28を装填し，CD-ROM28に格納されている動作プログラムを読み取るためのCD-ROMドライブ27が含まれている。また，管理サーバ20には，統括コンピュータ10および無線LANルータ６と通信するための通信装置23および表示装置22も含まれている。さらに，管理サーバ20には，ハードディスク（図示略）にアクセスするハードディスク・ドライブ24，所定のデータ等を一時的に記憶するメモリ25，キーボードなどの入力装置26が含まれている。
【００４０】
この実施例では，複数の検査箇所Ｐ１〜Ｐ７の検査状況を表わす検査状況データ（検査状況データベース）が管理サーバ20に記憶されている。
【００４１】
図４は，検査状況データを示す検査状況テーブルの一例である。
【００４２】
検査状況テーブルには，検査箇所，それぞれの検査箇所の検査結果および検査箇所が検査された場合の，その検査者が格納されている。図４は，初期状態の検査状況テーブルであり，検査箇所Ｐ１〜Ｐ７の検査結果がすべて未検査となっている。検査が行われた箇所に対応して検査結果および検査者が検査状況テーブルに格納されることとなる。
【００４３】
図５は，無線LANルータ６の電気的構成を示すブロック図である。
【００４４】
無線LANルータ６の全体の動作は，ＣＰＵ30によって統括される。
【００４５】
無線LANルータ６には，管理サーバ20と通信するための入出力インターフェイス31，データを記憶するメモリ32，無線LANエリア５内にある携帯電話１Ａ〜３Ａなどと通信する無線通信装置33，ＬＥＤ35およびＬＥＤ35の発光を制御する発光制御装置34が含まれている。無線LANルータ６には，CD-ROMドライブ36が含まれている。動作プログラムが格納されているCD-ROM37がCD-ROMドライブ36に装填され，CD-ROM37に格納されている動作プログラムが読み取られる。読み取られた動作プログラムが無線LANルータ６にインストールされ，後述の動作が行われる。
【００４６】
図６は，無線LANルータ６のメモリ32に格納されているルーティング・テーブルの一例である。
【００４７】
ルーティング・テーブルには，あて先に対応してＩＰアドレスが格納されている。無線LANルータ６に与えられるデータのヘッダにはＩＰアドレスが格納されている。無線LANルータにおいて，データのヘッダに格納されているＩＰアドレスが検出されると，その検出されたＩＰアドレスとルーティング・テーブルとから，そのデータのあて先が分る。あて先が分ると，そのあて先にデータが送信されることとなる。
【００４８】
図８は，一の携帯電話１Ａの電気的構成を示すブロック図である。他の携帯電話２Ａおよび３Ａの構成も同様である。
【００４９】
携帯電話１Ａの全体の動作は，ＣＰＵ50によって統括される。
【００５０】
携帯電話１Ａには，表示装置51，表示装置51の表示画面上に形成されているタッチ・パネル52，テン・キーパッドを含むキーパッド53，無線LANルータ６などと通信するための通信装置54，所定のデータを一時的に記憶するメモリ55などが含まれている。また，携帯電話１Ａには，マイクロフォン56およびスピーカ58も含まれている。マイクロフォン56に入力する音声およびスピーカ58から出力する音声を制御する音声制御装置57も携帯電話１Ａに含まれている。さらに，携帯電話１Ａには，メモリ・カード61にアクセスするメモリ・カード・リーダ／ライタ59および位置を検出するＧＰＳ（グローバル・ポジショニング・システム）60も含まれている。
【００５１】
図８から図17は，検査システムの処理手順を示すフローチャートである。この処理手順は，検査員１〜３による検査が終了すると，検査員１〜３の携帯電話１Ａ〜３Ａから無線LANルータ６に検査結果を表わすデータが送信される。送信された検査結果を表すデータは無線LANルータ６から管理サーバ20に送信され，管理サーバ20において検査状況データが更新される。更新された検査状況データが管理サーバ20から無線LANルータ６に送信され，無線LANルータ６から無線LANエリア５内にいる検査員１〜３（携帯電話１Ａ〜３Ａ）に送信される。検査員１〜３は検査状況データを共有できるようになる。
【００５２】
図８は統括コンピュータ10の処理手順を示すフローチャート，図９から図11は管理サーバ20の処理手順を示すフローチャート，図12から図14は無線LANルータ６の処理手順を示すフローチャート，図15から図17は一の携帯電話１Ａの処理手順を示すフローチャートである。これらの処理手順は，無線LANエリア５外にいる一の検査員１が無線LANエリア５内に入り，検査を行うものであるが，他の検査員２，３などが無線LANエリア５内に入り，検査を行う場合も同様である。
【００５３】
管理サーバ20には，検査場所を示す地図，どのような検査を行うかなどの検査内容および複数の検査箇所を示す検査内容／検査箇所データがあらかじめ記憶されている。
【００５４】
一の検査員１が一の携帯電話１にあらかじめインストールされている検査アプリケーション・プログラムを起動して無線LANエリア５に入ると（図15ステップ121），一の携帯電話１から無線LANルータ６に認証データ（検査情報要求データ）が送信される（図15ステップ122）。
【００５５】
一の携帯電話１Ａから送信された認証データが無線LANルータ６において受信されると（図12ステップ100でＹＥＳ），受信した認証データにもとづいて無線LANルータ６において認証処理が行われる。認証されると（図12ステップ101でＹＥＳ），検査情報要求データが無線LANルータ６から管理サーバ20に送信される（図12ステップ102）。
【００５６】
無線LANルータ６から送信された検査情報要求データが管理サーバ20において受信されると（図９ステップ82），検査内容，検査箇所，検査状況をそれぞれ示すデータが検査情報データとして管理サーバ20から無線LANルータ６に送信される（図９ステップ83）。
【００５７】
管理サーバ20から送信された検査情報データが無線LANルータ６において受信されると（図12ステップ103でＹＥＳ），受信した検査情報データが無線LANルータ６から一の携帯電話１Ａに送信される（図12ステップ104）。上述したようにデータのヘッダにはあて先である一の携帯電話１ＡのＩＰアドレスが含まれており，そのＩＰアドレスにしたがって，検査情報データが一の携帯電話１Ａに送信されるのはいうまでもない。同様に，検査情報データが管理サーバ20から無線LANルータ６に送信される場合も，その検査情報データのヘッダには無線LANルータ６のＩＰアドレスが格納されており，そのＩＰアドレスにしたがって管理サーバ20から無線LANルータ６に検査情報データが送信される。
【００５８】
無線LANルータ６から送信された検査情報データが一の携帯電話１Ａにおいて受信されると（図15ステップ123でＹＥＳ），携帯電話１Ａの表示装置51の表示画面に検査情報が表示される（図15ステップ124）。
【００５９】
図18は，一の携帯電話１Ａの表示装置51の表示画面140に表示される検査情報画像の一例である。
【００６０】
検査情報画像には，検査箇所情報表示領域141と検査員情報表示領域142とがある。検査箇所情報表示領域141は，検査場所の図面（無線LANエリア５の図面），検査箇所Ｐ１〜Ｐ７，および検査員の場所を示す検査員アイコン151〜153が表示される。検査箇所Ｐ１〜Ｐ７において×印は未検査を示し，○印は検査済みを示している。たとえば，検査箇所Ｐ１〜Ｐ３，Ｐ５〜Ｐ７は×印となっているから未検査であり，検査箇所Ｐ４は○印となっているから検査済みである。検査済みである検査箇所Ｐ４の下には，その検査箇所Ｐ４を検査した検査員（検査員３）が表示されている。検査員アイコン151〜153は，検査員１Ａ〜３Ａの現在位置を示すものである。検査員１〜３の現在位置は携帯電話１Ａ〜３Ａに含まれているＧＰＳからわかり，その現在位置を表わすデータが携帯電話１Ａ〜３Ａと管理サーバ20との間で通信されるデータに付与されている。このことから管理サーバ20において検査員１〜３の現在位置を示す検査員アイコン151〜153を表示させることができる。検査員情報表示領域142には，無線LANエリア５内にいる検査員のアイコン161〜163が表示されている。検査員アイコン161，162および163は，それぞれ検査員１Ａ，２Ａおよび３Ａについてのものであり，検査員情報表示領域142に検査員アイコン161，162および163が表示されていることから，無線LANエリア５に検査員１Ａ，２Ａおよび３Ａがいることが分る。
【００６１】
図19は，図18に示されている検査情報画像の状態のときの検査状況データの一例である。
【００６２】
上述したように，検査箇所Ｐ１が検査員３によって検査されているので，検査箇所Ｐ４については検査結果および検査者が更新されている。検査箇所Ｐ４については検査員３によって検査が行われ，その検査の結果異常なしであることが分る。
【００６３】
図15を参照して，一の検査員１Ａは，図18に示した検査情報画像を見ながら検査を行う（図15ステップ125）。図18に示す例では，検査員１Ａは，未検査である検査箇所Ｐ１の近くにいることが分るから，検査箇所Ｐ１を検査することとなろう。検査が終了すると，検査の結果（異常の有無，誰が検査したかなどの結果）を示す検査結果データが一の携帯電話１Ａから無線LANルータ６に送信される（図15ステップ126）。
【００６４】
一の携帯電話１Ａから送信された検査結果データが無線LANルータ６において受信されると（図12ステップ105でＹＥＳ），受信した検査結果データが無線LANルータ６から管理サーバ20に送信される（図12ステップ106）。
【００６５】
無線LANルータ６から送信された検査結果データが管理サーバ20において受信されると（図９ステップ84でＹＥＳ），管理サーバ20において，受信した検査結果データにもとづいて検査状況データが更新される（図９ステップ85）。
【００６６】
図20は，検査状況データの一例である。
【００６７】
上述のように，検査員１が検査箇所Ｐ１を検査して得られる検査結果データにもとづいて検査状況データが更新されている。検査箇所Ｐ１については，検査員１の検査により異常が無いことが分り，そのように検査状況データが更新されている。
【００６８】
検査状況データが更新されると，更新された検査状況データが管理サーバ20から無線LANルータ６に送信される（図10ステップ86）。
【００６９】
管理サーバ20から送信された検査状況データが無線LANルータ６において受信されると（図13ステップ107），受信した検査状況データが無線LANルータ６から一の携帯電話１Ａおよび他の携帯電話２Ａおよび３Ａに送信される（図13ステップ108）。
【００７０】
管理サーバ20から送信された検査状況データが一の携帯電話１Ａにおいて受信されると，（図15ステップ127でＹＥＳ），一の携帯電話１Ａの表示画面140に更新された検査情報が表示される（図15ステップ128）。図18において，検査箇所Ｐ１が検査済みを示す○印に変わり，その検査箇所Ｐ１の下に検査者である検査員１が表示されることとなる。同様に他の携帯電話２Ａおおよび３Ａにも更新された検査情報が表示されることとなる。検査の進捗に応じて検査結果を，検査員１〜３において共有できるようになる。
【００７１】
また，更新された検査状況データが管理サーバ20から統括コンピュータ10にも送信されるように設定されていると（図10ステップ87でＹＥＳ），更新された検査状況データが管理サーバ20から統括コンピュータ10に送信される（図10ステップ88）。
【００７２】
管理サーバ20から送信された検査状況データが統括コンピュータ10において受信されると（図８ステップ72でＹＥＳ），次の検査箇所を指示する検査指示データを管理サーバ10に送信するかどうかが判定される（図８ステップ73）。統括コンピュータ10のオペレータが検査の進捗状況を見ながら，優先的に検査をする箇所がある場合には，オペレータによって統括コンピュータ10に検査指示が与えられることとなろう。検査指示データが管理サーバ10送信する場合には（図８ステップ73でＹＥＳ），統括コンピュータ10から管理サーバ20に検査指示データが送信される（図８ステップ74）。検査指示が終了でなければ（ステップ75でＮＯ），ステップ72からの処理が繰り返される。
【００７３】
統括コンピュータ10から送信された検査指示データが管理サーバ20において受信されると（図10ステップ89でＹＥＳ），その受信した検査指示データが管理サーバ20から無線LANルータ６に送信される（図10ステップ90）。
【００７４】
管理サーバ20から送信された検査指示データが無線LANルータ６において受信されると（図13ステップ109でＹＥＳ），携帯電話１Ａ〜３Ａのうち，検査を指示する検査員の携帯電話に送信される（図13ステップ110）。統括コンピュータ10のオペレータによって検査を行わせる検査員が決定されており，その検査員の携帯電話のＩＰアドレスが検査指示データのヘッダに格納され，そのＩＰアドレスにしたがって，検査を指示する検査員の携帯電話に検査指示データが送信される。
【００７５】
無線LANルータ６から送信された検査指示データが一の携帯電話１Ａに送信されたものとすると，その検査指示データが一の携帯電話１Ａにおいて受信される（図15ステップ129でＹＥＳ）。すると，一の携帯電話１Ａの表示画面140に検査指示内容が表示される（図15ステップ130）。たとえば，検査指示が検査箇所Ｐ３であれば，その検査箇所Ｐ３を次に検査する指示が，一の携帯電話１Ａの表示画面140に表示されることとなろう。一の検査員１は指示にしたがって次の検査を行うこととなる。検査が終了したことにより，検査結果データが一の携帯電話１から無線LANルータ６を介して管理サーバ20に与えられ，上述のように検査状況データが更新されるのは上述したのと同様である。
【００７６】
この実施例では，検査予定箇所を検査員１，２および３が指定することもできる。一の検査員１が検査予定箇所を指定するものとする。
【００７７】
図21を参照して，検査箇所情報領域141に表示されている検査箇所Ｐ１〜Ｐ７のうち，未検査の検査箇所が検査予定箇所として一の検査員１の指でタッチされる。すると，そのタッチされた検査箇所（例えば，検査箇所Ｐ３）が点滅する。すると，検査予定箇所が指定されたこととなる。
【００７８】
このように検査予定箇所がタッチされると（図16ステップ131でＹＥＳ），その検査予定箇所を示す検査予定箇所データが一の携帯電話１Ａから無線LANルータ６に送信される（図16ステップ132）。
【００７９】
携帯電話１Ａから送信さたれ検査予定箇所データが無線LANルータ６において受信されると（図14ステップ111でＹＥＳ），その受信された検査予定箇所データが無線LANルータ６から管理サーバ20に送信される（図14ステップ112）。
【００８０】
管理サーバ20において，無線LANルータ６から送信された検査予定箇所データが受信されると（図11ステップ91でＹＥＳ），その受信した検査予定箇所データに送信先である携帯電話１Ａ，２Ａおよび３ＡのＩＰアドレスが付与（第１の識別データ付与手段）されて，管理サーバ20から無線LANルータ６に送信される（図11ステップ92）。
【００８１】
管理サーバから送信された検査予定箇所データが無線LANルータ６において受信されると（図14ステップ113でＹＥＳ），受信した検査予定箇所データが一の携帯電話１Ａならびに他の携帯電話２Ａおよび３Ａに送信される（図14ステップ114）。
【００８２】
無線LANルータ６から送信された検査予定箇所データが一の携帯電話１Ａにおいて受信されると（図16ステップ133でＹＥＳ），検査情報画像に検査予定箇所が表示されることとなる。たとえば，他の検査員２によって検査箇所Ｐ７が検査予定箇所として指定されると，図21に示すように一の検査員１の表示画面140に表示されている検査情報画像には検査箇所Ｐ７が破線155で囲まれ，その破線155の近くに検査員２のアイコン152が表示されるようになる。一の検査員１は，検査箇所Ｐ７を検査する予定であることがわかる。一の検査員１が検査箇所Ｐ７に検査のために移動してしまうということを未然に防止できる。
【００８３】
さらに，この実施例では，文章を入力することもできる。携帯電話１のキーパッド53を利用して文章が入力されると（図16ステップ135でＹＥＳ），その入力された文章を表わすデータが携帯電話１Ａから無線LANルータ６に送信される（図15ステップ136）。
【００８４】
携帯電話１Ａから送信された文章を表すデータが無線LANルータ６において受信されると（図14ステップ115でＹＥＳ），受信した文章を表わすデータは無線LANルータ６から管理サーバ20に送信される（図14ステップ116）。
【００８５】
無線LANルータ６から送信された文章を表すデータが管理サーバ20において受信されると（図11ステップ93でＹＥＳ），あて先が携帯電話１Ａ，２Ａおよび３Ａとなるように，文章を表わすデータにＩＰアドレスが付与される（第２の識別データ付与手段）。ＩＰアドレスが付与された文章を表わすデータが管理サーバ20から無線LANルータ６に送信される（図11ステップ94）。検査終了でなければ（図11ステップ95でＮＯ），図９ステップ82からの処理が繰り返される。
【００８６】
管理サーバ20から送信された文章を表すデータが無線LANルータ６において受信されると（図14ステップ117）。その文章を表わすデータに付与されたＩＰアドレスにしたがって，一の携帯電話１Ａならびに他の携帯電話２Ａおよび３Ａに文章を表すデータが送信される（図14ステップ118）。
【００８７】
無線LANルータ６から送信された文章を表すデータが一の携帯電話１Ａにおいて受信されると（図17ステップ137）（他の携帯電話２Ａおよび３Ａでも同様である），受信したデータによって表わされる文章が表示される（図17ステップ138）。検査が終了でなければ，図14ステップ125からの処理が繰り返される（図17ステップ139）。
【００８８】
図22は，携帯電話１Ａに表示される検査情報画像の一例である。
【００８９】
検査情報画像には，上述した検査箇所情報領域141および検査員情報領域142のほかに文章表示領域143が表示されている。文章表示領域143には，検査員アイコン171および172ならびにコメント領域181および182が含まれている。
【００９０】
上述したように，文章を入力した検査員に対応するアイコン171または172に対応して，入力した文章がコメント領域181および182に表示される。
【００９１】
上述した無線LANルータ６と携帯電話１Ａまたは２Ａもしくは３Ａとの間の通信で通信が切断されると，切断された携帯電話は無線LANエリア５外となったものと見なされる。すると，無線LANルータ６から無線LANエリア５内にある携帯電話に，検査情報データが送信される。無線LANエリア５内にある携帯電話には，無線LANエリア５から出た携帯電話の検査員のアイコンが消去されることとなる。
【００９２】
上述した実施例では統括コンピュータ10が利用されているが，必ずしも統括コンピュータ10が利用されなくともよい。
【００９３】
図23から図25は，他の実施例を示している。図23は，管理サーバ20の処理手順を示すフローチャート，図24および図25は無線LANルータ６の処理手順を示すフローチャートである。
【００９４】
上述の実施例では，携帯電話１Ａなどから送信されたデータは無線LANルータ６から管理サーバ20に送信されており，検査状況データの更新も管理サーバ20で行われている。これに対して，次に述べる実施例では，管理サーバ20と無線LANルータ６との通信を少なくし，検査状況データの更新も無線LANルータ６で行うものである。
【００９５】
まず，検査内容および検査箇所を表すデータが管理サーバ20から無線LANルータ６に送信される（図23ステップ191）。もっとも，検査内容および検査箇所を表すデータが無線LANルータ６にあらかじめ記憶されていれば，そのデータを無線LANルータ６に送信する必要は無い。
【００９６】
管理サーバ20から送信された検査内容および検査箇所を表すデータが無線LANルータ６において受信される（図24ステップ201）。上述のように，一の携帯電話１Ａから送信された認証データが無線LANルータ６において受信されると（図24ステップ202でＹＥＳ），認証処理が行われる。認証されると（図24ステップ203でＹＥＳ），検査内容および検査箇所を含む検査情報データが無線LANルータ６から，認証データを送信した一の携帯電話１Ａに送信される（図24ステップ204）。
【００９７】
また，上述のように，一の携帯電話（または他の携帯電話２Ａもしくは３Ａ）１Ａにおいて検査が行われると，検査結果データが無線LANルータ６に送信され，その検査結果データが受信される（図24ステップ205でＹＥＳ）。この実施例では，検査結果データは無線LANルータ６が記憶しており，受信した検査結果データにもとづいて，無線LANルータ６において検査状況データが更新される（図24ステップ206）。更新した検査状況データは無線LANルータ６から一の携帯電話１Ａならびに他の携帯電話２Ａおよび３Ａに送信される（図25ステップ207）。更新した検査状況データを無線エリア５内にいるすべての検査員が共有できることとなる。
【００９８】
さらに，上述のように，一の携帯電話（または他の携帯電話２Ａもしくは３Ａ）１Ａから送信された検査予定箇所データが受信されると（図25ステップ208でＹＥＳ），受信した検査予定箇所データが無線LANルータ６から一の携帯電話１Ａならびに他の携帯電話２Ａおよび３Ａに送信される（図25ステップ209）。ある検査員が指定した検査予定箇所を，その検査員以外の検査員も分るようになる。必要に応じて，検査予定箇所データには送信対象となる携帯電話のＩＰアドレスが無線LANルータ６によって付与される。
【００９９】
さらに，上述のように，一の携帯電話（または他の携帯電話２Ａもしくは３Ａ）１Ａから送信された文章データが受信されると（図25ステップ210でＹＥＳ），受信した文章データが一の携帯電話１Ａならびに他の携帯電話２Ａおよび３Ａに送信される（図25ステップ211）。ある検査員が入力した文章を，その検査員以外の検査員も知ることができる。この場合も必要に応じて，検査予定箇所データには送信対象となる携帯電話のアドレスが無線LANルータ６によって付与される。
【０１００】
検査終了でなければ（図25ステップ212でＮＯ），図24ステップ202からの処理が繰り返される。検査終了となると（図25ステップ212でＹＥＳ），検査状況データが無線LANルータ６から管理サーバ20に送信される（図25ステップ213）。
【０１０１】
無線LANルータ６から送信された検査状況データが管理サーバ20において受信される（図23ステップ192）。受信した検査状況データが管理サーバ20に記憶されることとなる。
【符号の説明】
【０１０２】
１Ａ  一の携帯電話
２Ａ，３Ａ  他の携帯電話
５  無線LANエリア（無線通信エリア）
６  無線LANルータ（無線通信アクセス・ポイント装置）
20  管理サーバ
【図１】
2012209845.tif 000003
【図２】
2012209845.tif 000004
【図３】
2012209845.tif 000005
【図４】
2012209845.tif 000006
【図５】
2012209845.tif 000007
【図６】
2012209845.tif 000008
【図７】
2012209845.tif 000009
【図８】
2012209845.tif 000010
【図９】
2012209845.tif 000011
【図１０】
2012209845.tif 000012
【図１１】
2012209845.tif 000013
【図１２】
2012209845.tif 000014
【図１３】
2012209845.tif 000015
【図１４】
2012209845.tif 000016
【図１５】
2012209845.tif 000017
【図１６】
2012209845.tif 000018
【図１７】
2012209845.tif 000019
【図１８】
2012209845.tif 000020
【図１９】
2012209845.tif 000021
【図２０】
2012209845.tif 000022
【図２１】
2012209845.tif 000023
【図２２】
2012209845.tif 000024
【図２３】
2012209845.tif 000025
【図２４】
2012209845.tif 000026
【図２５】
2012209845.tif 000027